(57)【要約】【課題】  相互に継管させ通電させるのみで循環水中の細菌、微生物或いは藻類を安全に且確実に殺菌殺藻でき、而も管体内の付着堆積物も簡便に剥除浄化のできる殺菌殺藻配管体及び殺菌殺藻配管体システムを提供する。【解決手段】  適宜の素材で且口径及び肉厚の管体と、絶縁素材からなりその一側にフランジ部と他側にフランジ基部が形成された連結フランジのフランジ基部端縁に管体が螺合若しくは嵌合され、且その内側に絶縁リング及び銅イオン若しくは銀イオン溶出極が装着配置されて殺菌殺藻配管体が構成され、而もこの殺菌殺藻配管体の相互の連結フランジを継管させたうえ銅イオン若しくは銀イオン溶出極に直流電流を印加させる殺菌殺藻配管体システム。【選択図】図７
2009148740.tif 000002
【特許請求の範囲】
【請求項１】
適宜の素材と且口径及び肉厚からなる管体と、絶縁素材からなりその一側には円形で扁平なフランジ部の中央に、管体の内径と等しい通水口、及びその外縁近傍適宜位置には連結孔が形成されてなり、更に他側に形成されるフランジ基部の端縁には管体を連結させる螺合部若しくは嵌合部が形成されてなり、且その内部には絶縁素材からなり管体の外径並びに内径と等しく而も所要の幅の絶縁リングが装着配置され、更にその内部には管体の外径並びに内径と等しく且所要の幅で、銅素材若しくは銀素材からなる銅イオン若しくは銀イオン溶出極の適宜位置が、フランジ基部外面より通電ボルトで螺着固定されたうえ装着配置されてなる連結フランジとからなり、管体の端縁に連結フランジが螺合若しくは嵌合連結された構成からなる殺菌殺藻配管体。
【請求項２】
銅イオン若しくは銀イオン溶出極が管体の外径及び内径の曲率と等しく且所要の幅と長さの板形溶出極で、而もその適宜位置にはフランジ基部外面より通電ボルトで螺着固定され且対向して装着配置されてなり、更に板形溶出極の対向装着配置に伴う凹陥溝内に係合しえる係合縁が形成された絶縁リングが使用される、請求項１記載の殺菌殺藻配管体。
【請求項３】
請求項１若しくは請求項２記載の殺菌殺藻配管体の連結フランジ相互を漏水防止パッキンを介して継管のうえ水若しくは養液の循環路を形成し、且直流電源装置より直流電流を銅イオン若しくは銀イオン溶出極に１．０ｍＡ／ｃｍ２以下の電流密度で印加し、循環水若しくは循環養液中に０．３ｍｇ／ｌ以上の濃度で銅イオン若しくは銀イオンを溶出せしめて殺菌殺藻をなす、殺菌殺藻配管体システム。
【発明の詳細な説明】
【技術分野】
【０００１】  本発明はプールや温浴施設、或いは水耕栽培等の水や養液循環路における細菌、微生物若しくは藻類等の繁殖による循環路の閉塞や病気発生を防止できる、殺菌殺藻配管体及び殺菌殺藻配管システムに係るものである。
【背景技術】
【０００２】  近年においては余暇の増大と健康指向とが相俟ってスポーツクラブや温浴施設等の利用が富みに増大化している。
更に他方における農業分野においても、採光や保温並びに施肥等の栽培管理を施し、促成化と高品質、高収益で葉菜類や果菜類を栽培する所謂水耕栽培が積極的に導入されるに至っている。【０００３】  ところでスポーツクラブにおけるプールや温浴施設等では膨大量の水を使用し、且利用状況に合せて常時水の補給をなすものであり、反面その使用された水もせいぜい利用者の分泌物や皮膚片並びに毛髪或いは排尿、及び各種細菌等により僅かに汚染される程度であるから、その使用水を廃水させた場合には莫大な水量に伴う経費が強いられる結果となる。【０００４】  これがためプールや温浴施設等では使用水をオーバーフローさせたうえ回収槽を介して再び濾過、殺菌のうえ補給させ或いはプールや温浴施設底部より排水させ且再び濾過殺菌のうえ補給させる循環路が配管形成されている。
更に水耕栽培においても所要の養分調整のなされた養液を育成苗に接触流通させ若しくは育成苗に滴下させるものであるから、結果として育成苗に吸収されない多量の排出養液が多量に発生する。従ってこの排出養液を回収し養分調整を図って再利用するための循環路が配管形成されている。【０００５】  然るにプールや温浴施設等の循環路内を循環される水中には、使用者の分泌物を初め皮膚片等の栄養分が豊富に混在するばかりか、細菌や微生物或いは藻類も混在し且水温も比較的高温であるため、これら細菌や微生物或いは藻類の恰好の繁殖条件が具備され、とりわけ高温度を好むレジオネラ菌については度々異常繁殖が惹起され、而も循環路内の開放系において該レジオネラ菌がミスト状に飛散したうえ使用者に吸引されて、多数の罹病死者が発生する事故が招来されている。【０００６】  更に水耕栽培においては養液自体が十分に栄養分を含むものであるばかりか、該養液は開放系の中で育成苗に接触流通させ若しくは滴下させるため特に藻類の繁殖が激しく、濾過装置の洗浄や循環路の洗浄には多大な時間と経費が強いられている実情にある。【０００７】  これがためプールや温浴施設の循環水中に混在する細菌や微生物或いは藻類の殺菌殺藻のためには、従来より次亜鉛素酸ナトリウムや高度さらし粉或いは塩素化イソシアヌル酸等を所要濃度割合に混合せしめて殺菌殺藻をなす所謂塩素処理がなされているものの、該塩素処理手段においては循環水のｐＨ値が低い場合には有害な塩素ガスの発生が惹起される危険があり、更に循環水はその利用者の多少によりｐＨ値も著しく変動するものであって、このｐＨ値の上昇に伴い殺菌殺藻性が等比級数的に滅失されること、及び利用者が少なく相対的に塩素処理濃度が高くなると利用者の粘膜や皮膚への炎症を引き起こす問題をも内在している。【０００８】  更に塩素処理では利用者から分泌されるフミン質との反応によるトリハロメタンの生成や、アンモニア若しくは鉄、マンガン等との反応により殺菌殺藻性が低下されること等により循環水の循環路管内には無機物の付着堆積とともに、これら細菌や微生物若しくは藻類等の繁殖物やその死骸等の有機物の付着堆積物所謂バイオフィルムが付着堆積し、而も該バイオフィルム内に潜在した細菌、特にはレジオネラ菌の殺菌は実質的に不能となるため、現状においては頻繁に循環路管内のこれら付着堆積物の剥離浄化作業が余儀なくされ、その時間や経費は莫大なものが強いられている。【０００９】  かかる如き塩素処理における問題に対処するため、発明者は循環水のｐＨ値の変動に際しても安定した殺菌殺藻性を発揮し、且有害なトリハロメタンの生成危険も無い銅イオンのオリゴダイナミック作用を用いて水循環路の殺菌殺藻を図る水の殺菌処理装置を既に開発し、全国の水景施設等には多量の採用がなされるに至っている。【００１０】  而しながらかかる水の殺菌処理装置は対向して配置される一対組の銅イオン溶出極体間に直流電流を通電せしめて未処理水中に実質的に０．３ｍｇ／ｌの銅イオンを溶出させるものであるから、常時循環水が銅イオン溶出極体と接触通電できる設置方法所謂縦方向での使用に制限されるばかりか、仮令塩素処理に比べて安定且優れた殺菌殺藻性が発揮されても、使用経過とともに循環路管内には無機質堆積物や有機質堆積物が付着堆積するため、これら付着堆積物の剥除浄化作業を施す必要があるものの、該水の殺菌処理装置は水の循環路管に比べて内部構造も狭く且複雑であって、高圧洗浄水による洗浄ノズルや洗浄ホースの挿通も至難となり十分な剥除洗浄が出来ぬばかりか、更には該水の殺菌処理装置において循環水量に対応した銅イオン溶出量を溶出させるうえから循環水量によっては該水の殺菌処理装置も大型となり且極めて高価となるばかりか、特にプールや温浴施設等の水の循環路には設置スペースの制約も受ける恐れがある。
【特許文献１】  特公平３−１０７７号公報
【特許文献２】  公特昭６０−３０１６９７号公報
【００１１】  発明者はかかる問題に鑑み研究を重ねた結果、水の循環路を形成する循環管体等を変更することなく、絶縁素材からなる連結フランジを介在させるのみで銅イオン若しくは銀イオンを所要濃度に溶出させて殺菌殺藻ができ、而も付着堆積物の剥除浄化も至便になしえることを究明し本発明に至った。
【発明の開示】
【発明が解決しようとする課題】
【００１２】  本発明は相互に継管させ通電させるのみで、循環水中に所要濃度の銅若しくは銀イオンを溶出させ確実な殺菌殺藻をなし、且管体内の付着堆積物を簡便に剥除浄化することの可能な、殺菌殺藻配管体及び殺菌殺藻配管システムを提供することにある。
【課題を解決するための手段】
【００１３】  上述の課題を解決する手段は、適宜の素材と且口径及び肉厚からなる管体と、絶縁素材からなりその一側の円形で扁平なフランジ部の中央には、管体の内径と等しい通水口及び外縁近傍には連結孔が形成されてなり、更に他側に形成されたフランジ基部には管体の端縁が螺着連結できる螺合部が形成されたうえ、その内部には管体の外径及び内径と等しく且所要の幅の絶縁素材からなる絶縁リングが装着配置され、更にその内部には管体の外径及び内径と等しく且所要の幅で銅若しくは銀素材からなる銅イオン若しくは銀イオン溶出極が装着配置され、而もこの銅イオン若しくは銀イオン溶出極の適宜部位には直流電流を印加させるために、フランジ基部外面より通電ボルトが螺着固定された連結フランジとからなり、管体の端縁に連結フランジが螺合若しくは嵌合されて殺菌殺藻配管体が形成されている。【００１４】  そしてこの殺菌殺藻配管体の相互のフランジ部の間に漏水防止パッキンを介在させたうえ所要の水の循環路と同様な形状及び長さを以って継管連結させ、而して殺菌殺藻配管体の通電ボルトに所要の直流電流を印加させ、或いはその極性を適宜に変換して印加させて、循環水中に所要濃度の銅イオン若しくは銀イオンを溶出せしめ細菌や微生物若しくは藻類の殺菌殺藻をなす殺菌殺藻配管システムに存するものである。【００１５】  加えて管体と連結フランジとの連結に際して、フランジ基部に形成させた嵌合部内に嵌入固定のうえ連結させる殺菌殺藻配管体及び殺菌殺藻配管システムに存すること、及び直流電流の印加に際して隣接して装着配置される環形溶出極間の通電に代え、板形溶出極を対向配置させたうえ対向通電させる殺菌殺藻配管体並びに殺菌殺藻配管システムに存する。
【発明の効果】
【００１６】  本発明はかかる手段を用いてなるものであってプールや温浴施設或いは水耕栽培等の水若しくは養液循環路に用いる管体に合成樹脂素材や鉄素材若しくは非鉄金属素材で且口径や肉厚等に何等制限されることなく使用できるとともに、継管のための連結フランジが絶縁素材とりわけポリアセタール樹脂やポリカーボネート樹脂、ポリアミド樹脂或いはポリアミノ樹脂、ポリフェノール樹脂若しくはポリ塩化ビニル樹脂等が用いられることにより一体成形により形成でき極めて軽量且安価であり、これら素材は耐水性、耐酸性、耐アルカリ性及び耐腐蝕性にも優れるため長期に亘って安全に使用ができる。【００１７】  そして連結フランジのフランジ基部の端縁には、使用する管体の口径に合せて螺着させる螺合部若しくは嵌入させる嵌合部が形成されてなるため、所要長さの管体の端縁を簡便且強固に連結させることができる。
加えて管体が螺着若しくは嵌合されるフランジ基部の内部には、管体の外径及び内径と等しく且所要の幅の絶縁素材からなる絶縁リングが装着配置されたうえ、更にその内部には管体の外径及び内径と等しく且所要の幅で而も銅若しくは銀素材からなる銅イオン若しくは銀イオン溶出極、具体的には環形溶出極若しくは板形溶出極の適宜位置をフランジ基部外面より通電ボルトにより螺着固定され装着配置されてなるから、該環形溶出極や板形溶出極に直流電流が印加された場合にも、管体が鉄管や非鉄金属管の如き導電性管体が使用されても漏電危険が防止される。【００１８】  而して連結フランジと管体とが継管されて形成される殺菌殺藻配管体を、その相互のフランジ部に漏水防止パッキンを介在させたうえフランジ部に形成された連結孔を連結ボルト及びナットで締縮螺合させることにより、所望の水の循環路の形状及び長さで殺菌殺藻配管体が連結形成される。【００１９】  加えて連結フランジのフランジ基部内に装着配置された環形溶出極若しくは板形溶出極に、通電ボルトより所要の直流電流を印加させることで、その通電電流に対応してそれぞれの連結フランジ内の環形溶出極や板形溶出極より分散して且安定した銅イオン若しくは銀イオンが溶出され確実な殺菌殺藻がなされる。
而も本発明においては絶縁リングや環形溶出極並びにフランジ部の通水口等が継管される管体の外径及び内径と等しく形成されてなるから、付着堆積物の剥除浄化に際して高圧水洗浄等の洗浄手段にも支障を与えることなく作業ができる等、優れた多くの特長を具備するものである。
【発明を実施するための最良の形態】
【００２０】  適宜の素材と且口径及び肉厚からなる管体を、絶縁素材からなりその一側が円形且扁平状でその中央に管体の内径と等しい通水口が形成され且外形近傍に連結孔が形成されたフランジ部と、他側のフランジ基部の端縁には管体と螺着させる螺合部が形成されてなり、且その内部に管体の外径及び内径と等しく所要の幅で、而も絶縁素材からなる絶縁リングが装着配置され更にその内部には、管体の外径及び内径と等しく且所要の幅で銅素材からなる環形溶出極が、その適宜位置をフランジ基部の外面より通電ボルトにより螺着固定され装着配置された連結フランジに管体を継管させて殺菌殺藻配管体となしたるうえ、この殺菌殺藻配管体のフランジ部相互を漏水防止パッキンを介在させて連結させることにより、所望の水の循環路としての殺菌殺藻配管システムが形成され、而も通電ボルトより所要の直流電流を印加させて所要濃度の銅イオンを溶出せしむる構成。
【実施例１】
【００２１】  以下に本発明実施例を図とともに詳細に説明すれば、図１は殺菌殺藻配管体１の説明図であり、図２は殺菌殺藻配管体１を構成する連結フランジ１Ｂの断面説明図であって、該殺菌殺藻配管体１に使用する管体１Ａとしては、実用使用に供しえる耐水性や耐圧性並びに強度を保持するものであれば特段に制約はなく一般的には鉄管を初めステンレス管やアルミ管、銅管の如き非鉄管やポリ塩化ビニル樹脂やポリエステル樹脂或いはポリエチレン並びにポリプロピレン合成樹脂管等が使用でき、且これら管体１Ａの口径や肉厚等は具体的使用条件により適宜に決定される。【００２２】  他方殺菌殺藻配管体１を構成する連結フランジ１Ｂは、図２に示すように多量の循環水や養液を循環させる管体１Ａの相互を継管のうえ、所要の形状及び長さの殺菌殺藻配管システム２に形成させ、その内部に装着配置させた銅若しくは銀素材からなる銅イオン若しくは銀イオン溶出極１１Ｅに直流電流を印加させ通電させるうえから強靭な絶縁素材が用いられる必要があり、具体的素材としてはポリアセタール樹脂、ポリカーボネート樹脂、ポリアミド樹脂、ポリアミノ樹脂、ポリフェノール樹脂或いはポリ塩化ビニル樹脂等が挙げられる。【００２３】  そして殺菌殺藻配管体１を構成する連結フランジ１Ｂは図２に示すように多量の循環水や養液を循環させる管体１Ａの相互を継管させたうえ、所要の形状及び長さの殺菌殺藻配管体システム２に形成させ、その内部に装着配置されてなる銅や銀素材からなる銅イオン若しくは銀イオン溶出液１１Ｅに直流電流を印加し通電させるため強靭で且絶縁性に優れる素材が用いられるもので、具体的素材としてはポリアセタール樹脂、ポリカーボネート樹脂、ポリアミド樹脂、ポリアミノ樹脂、ポリフェノール樹脂或いはポリ塩化ビニル樹脂等が挙げられる。【００２４】  この連結フランジ１Ｂは、その一側は円形状で且扁平なフランジ部１０Ｂを有するとともに、その中央には循環水や養液等が自在に流通しえるように管体１Ａの内径と等しい口径の通水口１０Ｃが形成され、且該フランジ部１０Ｂの外縁近傍適宜位置には、殺菌殺藻配管体１相互を継管させて殺菌殺藻配管体システム２に形成させるための連結孔１０Ｄが適宜数形成されている。【００２５】  更に該連結フランジ１Ｂの他側には、所要の分径と長さを以ってフランジ基部１１Ｂが設けられてなるとともに、該フランジ基部１１Ｂの端縁には管体１Ａの端縁とを螺着させて連結させるため、該管体１Ａの外径に合せた螺合部１１Ｃが形成されている。かかる場合に当然のことながら管体１Ａの端縁にも螺合部１１Ｃに螺着できる螺着溝１０Ａが形成される。【００２６】  そして該フランジ基部１１Ｂ内に形成された螺合部１１Ｃの内部には螺着される管体１Ａの外径及び内径と等しく且所要の幅を以って、絶縁素材からなる絶縁リング１１Ｄが装着配置されている。
この絶縁リング１１Ｄは該絶縁リング１１Ｄの更に内部に装着配置される銅若しくは銀素材からなる銅イオン若しくは銀イオン溶出極１１Ｅに直流電流を印加させる際に、使用される管体１Ａが鉄管や非鉄金属管の如き導電性管体の場合における漏電防止を図るためのものであって、該絶縁リング１１Ｄの素材としては特段の制約は無く絶縁性と十分に強靭なものであれば使用が可能であって、通常は連結フランジ１Ｂの形成素材と同等のもので対処できる。【００２７】  この絶縁リング１１Ｄが装着配置された更に内部には、管体１Ａの外径及び内径に等しく且所要の幅で、銅や銀素材からなる銅イオン若しくは銀イオン溶出極１１Ｅ、更に詳しくは環形溶出極１２Ｅが装着配置されている。
この銅イオン若しくは銀イオン溶出極１１Ｅは、流通する循環水中や養液中に所要濃度の殺菌性や殺藻性を保持する銅イオン若しくは銀イオンを溶出させるものであって、該銅イオン溶出量若しくは銀イオン溶出量は流通する循環水中若しくは養液中の通電電流量によって決定されるものであるから、該銅イオン若しくは銀イオン溶出極１１Ｅには、所要の直流電流を印加させる必要がある。【００２８】  これがためフランジ基部１１Ｂ内に装着配置されてなるこの該環形溶出極１２Ｅの適宜位置には、フランジ基部１１Ｂの外面より通電ボルト１１Ｆにより螺着固定されている。この通電ボルト１１Ｆは成可く電気伝導性に優れるものが望まれることから、素材としては銀、銅、黄銅、ニッケル或いはアルミ等が使用される。【００２９】  ところでこの銅イオン若しくは銀イオン溶出極１１Ｅの装着配置に際して留意すべきことは、銅イオン若しくは銀イオン溶出極１１Ｅには所要の直流電流が印加されたうえ、一方の銅イオン若しくは銀イオン溶出極１１Ｅより流通する循環水や養液を通電媒体として通電せしめその通電電流量に対応した銅イオン若しくは銀イオンを溶出させて殺菌殺藻を図るものであるが、印加された直流電流は印加された相互の銅イオン若しくは銀イオン溶出極１１Ｅの最短距離間で通電される。【００３０】  従って殺菌殺藻配管体１における通電時には、図３に示す如く一方の連結フランジ１Ｂの銅イオン及び銀イオン溶出極１１Ｅに印加された直流電流は、連結される他方の連結フランジ１Ｂの銅イオン若しくは銀イオン溶出極１１Ｅを対極として通電されるものであるが、使用する管体１Ａが鉄管や非鉄金属管の如く導電性素材からなる場合には、螺合若しくは嵌合連結される該管体１Ａとの距離が近接すると、対極への通電が十分になされぬ恐れが生ずる。これがためには連結フランジ１Ｂに装着配置される銅イオン若しくは銀イオン溶出極１１Ｅと連結される導電性の管体１Ａの端縁との距離は、対極との距離よりも大きな距離が保持されるよう絶縁リング１１Ｄで調整配慮すべきである。【００３１】  本発明殺菌殺藻配管体１はプールや温浴施設等の水循環路或いは水耕栽培における養液循環路に、その適宜数が継管されて殺菌殺藻配管体システム２として使用されるものであるから、継管されるそれぞれの連結フランジ１Ｂ相互のフランジ基部１１Ｂ内に装着配置されてなる銅イオン若しくは銀イオン溶出液１１Ｅから銅イオン若しくは銀イオンが循環水中や循環養液中に溶出されて確実な殺菌殺藻がなされる。【００３２】  他方循環水路や循環養液路が著しく短い場合では、流通する循環水中や循環養液中に殺菌殺藻のための銅イオン若しくは銀イオンを効率良く溶出せしむるうえからは、該流通する循環水や循環養液を横断して通電させること、即ち銅イオン若しくは銀イオン溶出極１１Ｅを対向して装着配置させることが好都合である。
そこでかかる対処手段として図４に示すようにフランジ基部１１Ｂ内に装着配置される絶縁リング１１Ｄの更に内部に、その外面及び内面が管体１の外径及び内径の曲率と等しく而も適宜の幅及び長さの銅イオン若しくは銀イオン溶出極１１Ｅ、更に詳しくは板形溶出極１２Ｆ、１２Ｆを相互が対向する位置に、而もそれぞれの適宜位置が通電のための通電ボルト１１Ｆでそれぞれフランジ基部１１Ｂの外面より螺着固定され装着配置させた構成のものが提案される。【００３３】  そして該板形溶出極１２Ｆ、１２Ｆが装着配置される場合に、循環水や養液が流通する管体１Ａの内径並びに絶縁リング１１Ｄの内径、或いはフランジ部１０Ｂの中央に形成された通水口１０Ｃ等同一口径の流通路中に対向して装着配置されることに伴い、凹陥溝１２Ｇ、１２Ｇが生じこの凹陥溝１２Ｇ、１２Ｇ内に無機堆積物及び有機堆積物等が堆積増長される危険がある。従ってこれの対処として図５に示すように十分な幅を有する絶縁リング１１Ｄの一側に、該凹陥溝１２Ｇ、１２Ｇと係合して流通路内を略同一口径に保持しえる係合縁１２Ｄを有する絶縁リング１１Ｄの使用が望まれる。【００３４】  かくして適宜の素材と且口径及び肉厚の管体１Ａの端縁に連結フランジ１Ｂが連結された殺菌殺藻配管体１は、プールや温浴施設の水の循環路或いは水耕栽培における養液循環路の構造や長さに合せて、図６に示す如く相互の連結フランジ１Ｂのフランジ部１０Ｂを接合させ且そのフランジ部１０Ｂに形成されてなる連結孔１０Ｄに連結ボルトナット１０Ｅを連通させたうえ、螺合締縮させることにより継管されて殺菌殺藻配管体システム２が形成される。
かかる継管に際しては相互のフランジ部１０Ｂ、１０Ｂの継管部分よりの漏水を防止するため、通常漏水防止パッキン２Ａが介在されるもので、該漏水防止パッキン２Ａには特段の制約はないが、一般的には合成ゴム素材例えばクロロプレンゴム、ブタジエンゴム、アクリルゴム或いはシリコンゴム等が用いられる。【００３５】  図７は継管された温浴施設の殺菌殺藻配管体システム２の説明図であって、該殺菌殺藻配管体システム２には流通する循環水中に所要濃度の銅イオン若しくは銀イオンを溶出させるため直流電流が印加される。この直流電流の印加は循環水中や養液中の細菌、特にはレジオネラ菌や微生物及び繁殖力が旺盛な藻類等の殺菌殺藻を図るためのもので、これがためには循環水や養液中に少なくとも０．３ｍｇ／ｌ以上の銅イオン若しくは銀イオン濃度で溶出させる必要があり、反面過剰な直流電流が印加され通電された場合には循環水や養液の電気分解が惹起されて酸性水化やアルカリ水化に伴う水の変性が発生し、且極度に溶存酸素量の低下も招来される危険も生ずる。
これがためには、銅イオン若しくは銀イオン溶出極１１Ｅ、１１Ｅ間の通電量は最大でも１．０ｍＡ／ｃｍ２以下の電流密度で通電がなされるように直流電流が印加される。【００３６】  直流電流の印加は、適宜の直流電源装置２Ｂより導電線２０Ｂでそれぞれの連結フランジ１Ｂのフランジ基部１１Ｂ内に装着配置された銅イオン若しくは銀イオン溶出極１１Ｅを螺着固定してなる通電ボルト１１Ｆに接続し印加されるものであって、該直流電源装置２Ｂは特段の制約はなく一般的ＡＣ電源を降圧トランスで取扱いに安全な略５０乃至６０Ｖ以下の電圧に降圧のうえ整流器を介して直流電流となし、且過剰電流の通電を制限する抵抗及び電流計と、更に適時毎に印加極性を変換できる極性変換スイッチとにより構成されている。かかる場合の極性変換スイッチは銅イオン若しくは銀イオン溶出極１１Ｅ、１１Ｅに直流電流が同一極性で印加され通電されると、陽極（＋）より溶出した銅イオン若しくは銀イオンの一部が陰極（−）に付着折出され、更には陽極にスケールの付着が促進されて時間経過とともに通電性の低下と且溶出された銅イオン若しくは銀イオンの殺菌殺藻効率が低下するための対処による。【００３７】  更に直流電流の印加に際しては連結フランジ１Ｂのフランジ基部１１Ｂ内に装着配置される銅イオン若しくは銀イオン溶出極１１Ｅの具体的形状と装着配置状態によって印加が異なるもので、図８のＡに示すように環形溶出極１２Ｅが使用される場合には相互の連結フランジ１Ｂの環形溶出極１２Ｅ、１２Ｅ間に通電させるために一方が陽極、他方が陰極となるよう印加すれば良い。反面板形溶出極１２Ｆ、１２Ｆが使用される場合には対向して装着配置される板形溶出極１２Ｆ、１２Ｆ間に通電させる必要があり、使用管体１Ａの口径によっては対極間の距離も大きくなる。従ってかかる場合には図８のＢに示す如く、相互の連結フランジ１Ｂの一方側の板形溶出極１２Ｆ、１２Ｆを陽極として並列に接続し、他方の対向側板形溶出極１２Ｆ、１２Ｆを陰極として並列に接続して印加させてやることに留意すべきである。
【産業上の利用可能性】
【００３８】  本発明は工業用冷却水や農業用水或いは水景施設等の水の循環路においては、優れた殺菌殺藻効果が発揮されて水の循環路の維持管理が極めて簡便且安価になしえる。
【図面の簡単な説明】
【００３９】
【図１】  殺菌殺藻配管体の説明図である。
【図２】  連結フランジの断面説明図である。
【図３】  銅イオン若しくは銀イオン溶出極の装着配置説明図である。
【図４】  板形溶出極の装着配置説明図である。
【図５】  凹陥溝が形成された絶縁リングの説明図である。
【図６】  継管部分の説明図である。
【図７】  温浴施設における殺菌殺藻配管システムの説明図である。
【図８】  直流電流の印加方法の説明図である。
【符号の説明】
【００４０】  １    殺菌殺藻配管体
１Ａ  管体
１Ｂ  連結フランジ
１０Ａ  螺着溝
１０Ｂ  フランジ部
１０Ｃ  通水口
１０Ｄ  連結孔
１０Ｅ  連結ボルトナット
１１Ｂ  フランジ基部
１１Ｃ  螺合部
１１Ｄ  絶縁リング
１１Ｅ  銅イオン若しくは銀イオン溶出極
１１Ｆ  通電ボルト
１２Ｄ  係合縁
１２Ｅ  環形溶出極
１２Ｆ  板形溶出極
１２Ｇ  凹陥溝
２    殺菌殺藻配管体システム
２Ａ  漏水防止パッキン
２Ｂ  直流電源装置
２０Ｂ  導電線
【図１】
2009148740.tif 000003
【図２】
2009148740.tif 000004
【図３】
2009148740.tif 000005
【図４】
2009148740.tif 000006
【図５】
2009148740.tif 000007
【図６】
2009148740.tif 000008
【図７】
2009148740.tif 000009
【図８】
2009148740.tif 000010